(57)【要約】【課題】箱の中に二つ折りされて収納されているティッシュペーパーを広げながら水平に、かつ２枚１組に重ねられたものでも分離させずに取出すことを可能にし、しかもティッシュペーパーの取出し後、取出口から次のティッシュペーパーも突出させて取出しを容易にし、更に縦置きも可能にする。【解決手段】ティッシュペーパーＴを１枚ずつ、または２枚を重ねて１組としたものを１組ずつ、幅を二分する線で二つ折りにし、その多数枚または多数組を、その折り目が交互に反対側を向くように積み重ね、その積み重ねに際して上下に隣接するものを噛合い状に組合せて収容するようにしたティッシュペーパー収納箱１０において、該収納箱１０を紙製とし、ティッシュペーパーＴの取出口１５ｄを天板１１の片側の側縁１１ａに沿って長孔状に、かつ天板１１および片側の側板１３にまたがって形成するための切断線１５をミシン目状に設ける。【選択図】      図１
2004305240.tif 000002
【特許請求の範囲】
【請求項１】
長方形または正方形に裁断されたティッシュペーパーを１枚ずつ、またはその２枚を重ねて１組としたものを１組ずつ、幅を二分する線で二つ折りにし、その多数枚または多数組を、その折り目が交互に反対側を向くように積み重ね、その積み重ねに際して上下に隣接するものを噛合い状に組合せて収容するようにした直方体形状のティッシュペーパー収納箱において、該収納箱を紙製とし、上記ティッシュペーパーの取出口を上記天板の片側の側縁に沿って長孔状に、かつ天板および片側の側板の両者にまたがって形成するための切断線をミシン目状に設けたことを特徴とするティッシュペーパー収納箱。
【請求項２】
長方形または正方形に裁断されたティッシュペーパーを１枚ずつ、またはその２枚を重ねて１組としたものを１組ずつ、幅を二分する線で二つ折りにし、その多数枚または多数組を、その折り目が交互に反対側を向くように積み重ね、その積み重ねに際して上下に隣接するものを噛合い状に組合せて収容するようにした直方体形状のティッシュペーパー収納箱において、該収納箱を木材や合成樹脂等の剛性材料製とし、上記ティッシュペーパーの取出口を上記天板の片側の側縁に沿って長孔状に、かつ天板および片側の側板の両者にまたがって形成し、上記天板の周縁に沿って囲い壁を立設したことを特徴とするティッシュペーパー収納箱。
【請求項３】
請求項２に記載されたティッシュペーパー収納箱において、長手方向一端の端板に開口を設け、この開口から上記の収納箱に対して請求項１に記載された紙製のティッシュペーパー収納箱を出し入れできるようにしたティッシュペーパー収納箱。
【発明の詳細な説明】
【０００１】
【発明の属する技術分野】
この発明は、多数枚のティッシュペーパーを重ねて収容するようにしたティッシュペーパー収納箱に関し、箱に収容されたティッシュペーパーを上のものから順に水平に引出して取り出せるようにしたものである。
【０００２】
【従来の技術】
長方形または正方形に裁断されたティッシュペーパーの２枚を重ねて１組としたものを１組ずつ幅を二分する線で二つ折りにし、その多数組を、その折り目が交互に反対側を向くように重ね、かつ上下に隣接するものを噛合い状に組合せて直方体形状の紙箱に収容し、この紙箱の天板中央部に開けた長手方向と平行な長孔から上記のティッシュペーパーを上のものから１組ずつ順に上方へ引き出すようにしたものが広く使用されている。しかし、この場合は、１組のティッシュペーパーを取り出すと、続く１組のティッシュペーパーの端部が上記の長孔から突出して次の取出しが容易になる反面、上向きに引き出す必要があり、水平方向に引き出すことができないため、上記の箱を就寝時の枕元に置いている場合、特に病人にとって使い難いという問題があった。
【０００３】
一方、上記直方体形状の紙箱において、天板の長さ方向一端に取出口を設け、水平方向の引き出しを可能にしたものが知られている（特開２００１−２２５８８１号公報および実開昭５２−３４７２６号公報等参照）。しかしながら、特開２００１−２２５８８１号公報に記載のように、多数組のティッシュペーパーを前記のように組合せて収容した場合は、ティッシュペーパーの折り目が引出し方向に対して左右交互に並ぶため、引出しに伴ってティッシュペーパーが捩じられ、２枚１組に重ねられたティッシュペーパーが横にずれて分離する結果になり、また実開昭５２−３４７２６号公報に記載のように、二つ折りすることなく１枚ずつに分離し、単に重ねて収容した場合は、１枚目のティッシュペーパーを取出すと、２枚目の先端が取出口から突出することなく箱の中に残るため、箱の中で最上層のティッシュペーパーを指先で選択する必要があり、取出しが困難になるという問題があった。
【０００４】
【発明が解決しようとする課題】
この発明の第１の課題は、箱の中に二つ折りされて収納されているティッシュペーパーを広げながら水平に、かつ２枚１組に重ねられたものでも分離させずに水平方向に引っ張って取出すことができ、しかも２枚１組または１枚のティッシュペーパーを取出した後、取出口から次の１組または１枚のティッシュペーパーを突出させて、その取出しを容易にすると共に、必要に応じて本立て等を利用することにより上記の箱の縦置きができるようにすることである。また、第２の課題は、ティッシュペーパー収納箱の天板上に薬品、体温計、眼鏡その他の小物を置けるようにし、就寝時の枕元、特に病人の枕元をきれいに整理できるようにすることである。
【０００５】
【課題を解決するための手段】
請求項１に係るティッシュペーパー収納箱は、上記第１の課題を解決するものであり、長方形または正方形に裁断されたティッシュペーパーを１枚ずつ、またはその２枚を重ねて１組としたものを１組ずつ、幅を二分する線で二つ折りにし、その多数枚または多数組を、その折り目が交互に反対側を向くように積み重ね、その積み重ねに際して上下に隣接するものを噛合い状に組合せて収容するようにした直方体形状のティッシュペーパー収納箱において、該収納箱を紙製とし、上記ティッシュペーパーの取出口を上記天板の片側の側縁に沿って長孔状に、かつ天板および片側の側板の両者にまたがって形成するための切断線をミシン目状に設けたことを特徴とするティッシュペーパー収納箱である。
【０００６】
上記請求項１のティッシュペーパー収納箱では、多数枚のティッシュペーパーが従来の汎用品と同様に、１枚ずつまたは１組ずつ二つ折りにされ、その折り目が交互に反対側を向くように、かつ上下に隣接するものを噛合い状に組合せて収容される。そして、上記の収納箱を、天板の片側の側縁に沿って設けたミシン目状の切断線に沿って破断することにより、上記の側縁に沿ってティッシュペーパーの取出口が天板と側板の両者にまたがって形成される。したがって、天板側の開口部分を利用して１層目のティッシュペーパーを摘み取ると、側板側の開口部分を利用して上記のティッシュペーパーを天板の幅方向に、水平方向に引き出すことができる。すなわち、天板の幅方向に引き出すことができるので、本立て等で収納箱を立てた場合もティッシュペーパーを水平方向に引出すことができる。
【０００７】
そして、１層目のティッシュペーパーを引出すと、このティッシュペーパーの引出し方向と平行な両側部分（収納箱の前後の端板に面する部分）が取出口の両端に接して集束され、この集束によるしわは、折り目の後続部分に波及する。この後続部分の上面または下面には２層目のティッシュペーパーの一部、すなわち折り目に対して引出し方向前側部分が重なっているため、上記のしわは２層目のティッシュペーパーにも波及する。したがって、２層目のティッシュペーパーの引出し方向前端部分が１層目の引出し方向後端部分の上面または下面のいずれに重なっている場合であっても、２層目のティッシュペーパーは、１層目のティッシュペーパーの引出しに伴って１層目との摩擦力で引出されて上記の取出口から突出し、１層目の取出し完了と共に、２層目の先端側一部が取出口から突出した状態でその引出しが停止し、以下それが繰返される。したがって、常に次のティッシュペーパーが取出口から取出し可能な状態で待機する。
【０００８】
なお、上記の取出口は、ティッシュペーパーの取出しが可能なものであれば、その形状および大きさは任意である。例えば、形状は、長方形（四隅を面取りしたものを含む）、長方形の両端を半円形に丸めた小判形または菱形等の任意の形状を選択することができる。また、取出口の長さは、ティッシュペーパーの長さよりも短く、かつ引出しの際にティッシュペーパーが破れない程度に設定する必要があるが、実験によれば、ティッシュペーパーの長さが約２３０ｍｍの場合、取出口の形状を長方形にすると、長さは１３０〜１７０ｍｍが、また幅は、天板側部分および側板側部分のいずれにおいても１０〜２０ｍｍが好ましい。なおまた、上記取出口の形成に際し、天板側の上縁または側板側の下縁のいずれか一方をヒンジとする開閉自在の蓋板として残し、塵埃の侵入を防ぐことができ、また上記の天板側縁に沿った水平方向取出口と従来の天板中央の上向き取出口とを併設し、両者を使い分けできるようにしてもよい。
【０００９】
請求項２に係るティッシュペーパー収納箱は、上記第１の課題における水平引出し（ただし、収納箱の縦置きは除かれる。）に加えて第２の課題を解決するものであり、長方形または正方形に裁断されたティッシュペーパーを１枚ずつ、またはその２枚を重ねて１組としたものを１組ずつ、幅を二分する線で二つ折りにし、その多数枚または多数組を、その折り目が交互に反対側を向くように積み重ね、その積み重ねに際して上下に隣接するものを噛合い状に組合せて収容するようにした直方体形状のティッシュペーパー収納箱において、該収納箱を木材や合成樹脂等の剛性材料製とし、上記ティッシュペーパーの取出口を上記天板の片側の側縁に沿って長孔状に、かつ天板および片側の側板の両者にまたがって形成し、上記天板の周縁に沿って囲い壁を立設したことを特徴とするティッシュペーパー収納箱である。
【００１０】
この場合も、従来の汎用品や前記請求項１に係る発明と同様に、多数枚のティッシュペーパーが１枚ずつまたは１組ずつ二つ折りにされ、その折り目が交互に反対側を向くように、かつ上下に隣接するものを噛合い状に組合せて収容される。そして、上記収納箱の側縁に沿ってティッシュペーパーの取出口が天板と側板の両者にまたがって開口するので、請求項１に係る発明と同様に天板側の開口部分を利用して１層目のティッシュペーパーを摘み取ると、側板側の開口部分を利用して上記のティッシュペーパーを天板の幅方向に、水平方向に引き出すことができる。そして、この収納箱では、天板の上面に囲い壁が立設されているので、就寝時の枕元に置くことにより、天板上面の囲い壁内側に薬品、体温計、眼鏡その他の小物を置くことができる。
【００１１】
なお、取出口の形状および大きさは、請求項１に係る発明と同様に形成されるが、収納箱の材料は、請求項１に係る発明とは異なり、木材や合成樹脂、金属、陶磁器等、紙に比べて高剛性の材料によって形成される。したがって、収納箱の重量が増大し、ティッシュペーパーを取出す際に収納箱を手で支える必要がなく、それだけ取出しが容易になる。
【００１２】
上記剛性材料製の収納箱には、請求項１に係る発明と同様に、多数枚のティッシュペーパーの積層体を直接収納してもよく、その収納のための挿入口が任意の位置に設けられるが、請求項３に記載のように、長手方向一端の端板に開口を設け、この開口から請求項１に記載された紙製のティッシュペーパー収納箱を出し入れできるようにすることができ、この場合は剛性材料製の収納箱を半永久的に使用することができる。なお、汎用の紙製収納箱は、ティッシュペーパーの圧縮率や容量によって高さが異なるので、上記剛性材料製の収納箱の高さを最大高さの紙箱用に設定し、その高さが低い場合はスペーサで高さ調節をしてもよい。
【００１３】
【発明の実施の形態】
図１において、１０は紙製のティッシュペーパー収納箱であり、１枚の紙を組立てて直方体形状に形成されており、１１は天板、１２は底板、１３は側板、１４は前板である。天板１１の手前の側縁１１ａに沿って取出口形成用の切断線１５がミシン目状に、かつ天板１１および手前の側板１３の両者にまたがる長方形状に設けられている。なお、上記の切断線１５は、天板１１に設けた部分１５ａと側板１３に設けた部分１５ｂとからなり、この切断線１５で囲まれた部分１５ｃを鎖線（１５ｃ）のように除去することにより、除去跡に取出口１５ｄが長方形の長孔状に開口する。
【００１４】
上記収納箱１０の内側には、長方形のティッシュペーパーＴが多数枚、積層状態で収納されている。詳しくは図２に示すように、２枚を１組とする多数組のティッシュペーパーＴ（ただし、図２では２枚が１本の線で表わされている。）が、１組ずつ幅を二分する線で二つ折りにし、その多数組を、その折り目Ｔａが交互に反対側を向くように積み重ね、その積み重ねに際して上下に隣接するものを噛合い状に組合せて収納される。
【００１５】
したがって、上記取出口１５ｄの長さをティッシュペーパーＴの長さよりも若干小さく設定して上記のティッシュペーパーＴを上のものから順に引出すと、上のティッシュペーパーＴが取出口１５ｄを通過する際に絞られて集束されるため、次のティッシュペーパーＴが上のティッシュペーパーＴに摩擦で引きずられて取出口１５ｄに向かい、上のティッシュペーパーＴが取出口１５ｄから脱出する際は、次のティッシュペーパーＴの先端が取出口１５ｄから突出する。
【００１６】
２枚１組のティッシュペーパーＴ（幅が約１９７ｍｍ、長さが約２２９ｍｍ）が２００組収納された市販のティッシュペーパー収納箱１０（幅１１５ｍｍ、長さ２４２ｍｍ、高さ５０ｍｍ）を用い、その側縁１１ａに沿って取出口１５ｄを開口し、その長さＬを１５０ｍｍ、天板１１における水平幅Ｂと側板１３における垂直幅Ｄをそれぞれ２０ｍｍに設定して実験した場合、上記２００組のティッシュペーパーを全数支障なく取出すことができた。
【００１７】
実施形態２
図３において、２０は木製のティッシュペーパー収納箱であり、天板２１、底板２２、側板２３および後板２４によって直方体形状に形成され、前端面（図３の右端）に開口部２５を有する直方体に形成されている。そして、天板２１の手前側の側縁に沿ってティッシュペーパーの取出口２６が実施形態１の取出口１５ｄと同様に天板２１および側板２３の両者にまたがる長孔状に形成されている。また、上記の天板２１の上には、その周縁に沿って囲い壁２７が立設され、小物入れの整理箱が形成されている。なお、上記の囲い壁２７は、取出口２６が天板２１上に開口する部分では、取出口２６の水平幅（図１のＢ参照）の分だけ図示のように後退して立設される。
【００１８】
そして、上記収納箱２０の内側には、前端の開口部２５から平板状のスペーサ２８および前記実施形態１の紙製収納箱１０が挿入され、図４に示すように、底板２２上にスペーサ２８および紙製収納箱１０が順に、かつ紙製収納箱１０の取出口１５ｄが上記木製収納箱２０の取出口２６の下に位置するように重ねられる。したがって、紙製収納箱１０のティッシュペーパーＴは、紙製収納箱１０の取出口１５ｄおよび木製収納箱２０の取出口２６を介して矢印Ｐ方向に引き出して取出すことができ、その際に木製収納箱２０を手で支える必要がなく、また天板２１上の囲い壁２７内には、薬瓶や眼鏡等の小物を置くことができる。
【００１９】
【発明の効果】
上記のとおり、この発明によれば、ティッシュペーパーをその収納箱から天板と平行に、すなわち水平方向に引っ張って取出すことができ、従来のように上向きに引張る必要がないため、蒲団上に横になった状態でも容易にティッシュペーパーを取出すことができる。特に請求項１に係る発明は、本立て等を用いて収納箱を立てた状態で使用することができ、ティッシュペーパー収納箱の設置面積を狭くすることができる。また、請求項２に係る発明は、収納箱の天板上に薬品、体温計、眼鏡その他の小物を置くことができ、就寝時の枕元、特に病人の枕元をきれいに整理することができ、かつティッシュペーパーを取出す際、収納箱を手で支える必要がなく、上記の取出しが片手で可能になる。また、請求項３に係る発明によれば、紙製のティッシュペーパー収納箱をそのまま使用することができるので、ティッシュペーパーの詰め替えが容易である。
【図面の簡単な説明】
【図１】実施形態１の斜視図である。
【図２】実施形態１の使用時の断面図である。
【図３】実施形態２の斜視図である。
【図４】実施形態２の使用時の断面図である。
【符号の説明】
１０、２０：ティッシュペーパー収納箱、１１、２１：天板
１２、２２：底板、１３、２３：側板、１４：前板
１５：ミシン目状の切断線、１５ｄ：取出口
Ｔ：ティッシュペーパー、Ｔａ：折り目
２４：後板、２５：前端開口、２６：取出口、２７：囲い壁、２８：スペーサ
【図１】
2004305240.tif 000003
【図２】
2004305240.tif 000004
【図３】
2004305240.tif 000005
【図４】
2004305240.tif 000006